(57)【要約】【課題】スクラッチ部の剥離に要する力が軽減され、ごみも発生せず、片手で操作できるほど小型且つ軽量化できる携帯型剥離装置の提供。【解決手段】ロール状の粘着テープ２ａが保持された供給リール３１と、粘着テープ２ａから引き出された粘着テープ２ｂを巻き取る巻取リール４１と、供給リール３１と巻取リール４１とを軸支すると共に、把持部１１ａ，１１ｂ，２１ａを有するハウジング１０とを備え、把持部１１ａ，１１ｂ，２１ａでハウジング１０を押圧することにより、粘着テープ２ａの粘着層２ｃを巻取リール４１の外周面４３を介してスクラッチカード４上に形成されたスクラッチ部５に押圧しながら転がり回転させ、スクラッチ部５をスクラッチカード４から剥離する。【選択図】　　　図３
2004051296.tif 000002
【特許請求の範囲】
【請求項１】
粘着テープを供給する供給手段と、
前記供給手段から引き出された粘着テープを巻き取る巻取手段と、
前記供給手段と巻取手段を軸支すると共に、把持部を有するハウジングとを備え、
前記把持部で前記ハウジングを押圧することにより、前記粘着テープの粘着層を前記巻取手段を介して基材上に形成された遮蔽部に押圧しながら転がり回転させ、前記遮蔽部を前記基材から剥離することを特徴とする携帯型剥離装置。
【請求項２】
前記供給手段と前記巻取手段とを回転及び着脱自在に軸支するケース本体部と、前記前記供給手段と前記巻取手段とが当該ケース本体部から着脱可能となるように当該ケース本体部に回動自在に軸支され、当該ケース本体部を開閉するカバー部とを更に備えることを特徴とする請求項１に記載の携帯型剥離装置。
【請求項３】
前記ケース本体部と前記カバー部とは、外部から透視可能な透明なプラスチック材料で構成されていることを特徴とする請求項１又は２に記載の携帯型剥離装置。
【請求項４】
前記ハウジングは片手で取り扱い可能なサイズに設定されていることを特徴とする請求項１乃至３のいずれか１項に記載の携帯型剥離装置。
【請求項５】
前記ハウジングは円弧形状の凸部と凹部とを備えた把持部を有し、略くの字形状に形成されていることを特徴とする請求項１乃至４のいずれか１項に記載の携帯型剥離装置。
【発明の詳細な説明】
【０００１】
【発明の属する技術分野】
本発明は、例えば、粘着テープを押し付けて転がすことによりスクラッチカードからスクラッチ部を剥離する携帯型剥離装置に関する。
【０００２】
【従来の技術】
従来から、紙等のカード基材上にスクラッチ部を印刷し、或いはカード基材上にシール構造のスクラッチシールを貼り着けることにより、紙等のカード基材上に印刷された文字や模様を隠蔽すると共に、この隠蔽部分（スクラッチ部）をコインなどを用いて削り取ることで中に書かれている当該文字や模様を見ることができるように構成されたスクラッチカードが知られている。
【０００３】
また、スクラッチカードの販売又は配布に携わる者は、カード購入者にその場でスクラッチ部を削り取るように要求されることがあり、その際に鋭利なヘラを用いて大量のスクラッチ部の剥離作業を行っている。
【０００４】
また、上記ヘラ以外にも、大量のスクラッチ部を自動で剥離する大型の装置などが提案されている（特開平９−９５０９６号公報参照）。
【０００５】
【発明が解決しようとする課題】
上記従来のヘラを用いた場合には、作業者の手に負担がかかり手首などを痛めたり、削り取られたごみが衣服などに付着するという不都合がある。
【０００６】
また、上記公報記載の装置では、一度に大量のスクラッチカードを処理できるという利点がある反面、大型であるため移動や持ち運びに適さず小規模の店舗に設置するには不向きであり、また、一度に大量のスクラッチカードを処理せず、カード購入者によりランダムに１枚ごとに処理する場合には不向きである。
【０００７】
本発明は、上記課題に鑑みてなされ、その目的は、スクラッチ部の剥離に要する力が軽減され、ごみも発生せず、片手で操作できるほど小型の携帯型剥離装置を提供することである。
【０００８】
【課題を解決するための手段】
上述の課題を解決し、目的を達成するために、本発明の携帯型剥離装置は、粘着テープを供給する供給手段と、前記供給手段から引き出された粘着テープを巻き取る巻取手段と、前記供給手段と巻取手段を軸支すると共に、把持部を有するハウジングとを備え、前記ハウジングを押圧することにより、前記粘着テープの粘着層を前記巻取手段を介して基材上に形成された遮蔽部に押圧しながら転がり回転させ、前記遮蔽部を前記基材から剥離する。
【０００９】
また、好ましくは、前記供給手段と前記巻取手段とを回転及び着脱自在に軸支するケース本体部と、前記前記供給手段と前記巻取手段とが当該ケース本体部から着脱可能となるように当該ケース本体部に回動自在に軸支され、当該ケース本体部を開閉するカバー部とを更に備える。
【００１０】
また、好ましくは、前記ケース本体部と前記カバー部とは、外部から透視可能な透明なプラスチック材料で構成されている。
【００１１】
また、好ましくは、前記ハウジングは片手で取り扱い可能なサイズに設定されている。
【００１２】
また、好ましくは、前記ハウジングは円弧形状の凸部と凹部とを備えた把持部を有し、略くの字形状に形成されている。
【００１３】
【発明の実施の形態】
以下に、本発明の実施の形態について、添付図面を参照して詳細に説明する。
【００１４】
尚、以下に説明する実施の形態は、本発明の実現手段としての一例であり、本発明は、その趣旨を逸脱しない範囲で下記実施形態を修正又は変形したものに適用可能である。
【００１５】
図１及び図２は本発明に係る実施形態の携帯型剥離装置の側面図であって、図１はケース本体部がカバー部により閉成された状態を示し、図２はケース本体部がカバー部により開成された状態を示す。また、図３は、図２の状態での上面図であって、カバー部を省略してケース本体部、供給リール及び巻取リールのみを示す図である。更に、図４は、図２から供給リールと巻取リールとを取り外した状態を示す図である。
【００１６】
尚、上記各図においては説明の便宜上、板厚などは省略して示している。
【００１７】
図１乃至図４に示すように、本実施形態の携帯型剥離装置１は、中心線Ｌに対して左右対称な形状のケース本体部１１と、このケース本体部１１を開閉する中心線Ｌに対して左右対称な形状のカバー部２１とからなるハウジング１０と、中空ロール状にされた未使用の粘着テープ２ａが装着される円盤状の供給リール３１と、この未使用の粘着テープ２ａから引き出された使用済みの粘着テープ２ｂを巻き取る円盤状の巻取リール４１とを備える。
【００１８】
上記ケース本体部１１の上縁部１２には、上記供給リール３１を回転及び着脱自在に軸支する略Ｕ字状の供給リール軸受溝１３と、上記巻取リール４１を回転及び着脱自在に軸支する略Ｕ字状の巻取リール軸受溝１４とが形成され、ケース本体部１１の後端部１６には、上記カバー部２１を回動自在に軸支する軸受突起１５が形成されている。
【００１９】
上記供給リール３１は、上記供給リール軸受溝１３に軸支される供給リール軸３２が軸方向（中心線Ｌと直交する方向）の両側に突設され、その外周面３３には中空ロール状の粘着テープ２ａの中空部内周面３が装着される。
【００２０】
上記巻取リール４１は、上記巻取リール軸受溝１４に軸支される巻取リール軸４２が軸方向（中心線Ｌと直交する方向）の両側に突設され、巻取リール４１の巻取回転により供給リール３１に装着された粘着テープ２ａを引き出し、使用済みの粘着テープ２ｂをその外周面４３で巻き取る。
【００２１】
供給リール３１は巻取リール４１より大径に設定されている。また、粘着テープ２ａは、その粘着面２ｃが巻取リール４１の外周側に露出し、非粘着面２ｄが巻取リール４１の外周面側に向くように、供給リール３１に装着されると共に巻取リール４１にて巻き取られる。
【００２２】
上記未使用粘着テープ２ａは、巻取リール４１の巻取回転Ｓ１により巻き取られると同時に、この巻き取られた長さだけ供給リール３１がＳ２方向に回転されて順次引き出されるように、供給リール３１から巻取リール４１に亘って張設されている。
【００２３】
上記供給リール３１及び巻取リール４１は、カバー部２１を開成した状態で上記供給リール軸受溝１３及び巻取リール軸受溝１４に対して着脱可能な状態となり、カバー部２１を閉成した状態で上記供給リール軸受溝１３及び巻取リール軸受溝１４から脱落しないように保持されて回転可能であるが着脱不能な状態となる。
【００２４】
即ち、図１に示すように、カバー部２１が閉じられることで、供給リール軸受溝１３の開放端がカバー部２１の下縁部２２により閉塞されて供給リール軸３２が保持されると共に、巻取リール軸受溝１４の開放端がカバー部２１の下縁部２２により閉塞されて巻取リール軸４２が保持される。
【００２５】
反対に、図２に示すように、カバー部２１が開放されることで、供給リール軸受溝１３の開放端がカバー部２１の下縁部２２により開放されて供給リール軸３２が取り外せると共に、巻取リール軸受溝１４の開放端がカバー部２１の下縁部２２により開放されて巻取リール軸４２が取り外せることになる。
【００２６】
また、ケース本体部１１及びカバー部２１の夫々には、カバー部１１が閉成された状態で、巻取リール４１の外周面４３の一部が露出するように開口部４４が形成されており、この露出された巻取リール４１の外周面４３、つまり、粘着テープ２ａの粘着面２ｃをスクラッチカード上で転がり回転させてスクラッチ部を粘着面２ｃに貼り付けてスクラッチカードから剥離することができる。
【００２７】
また、少なくともケース本体部１１、カバー部２１、供給リール軸受溝１３、供給リール軸３２、巻取リール軸受溝１４、巻取リール軸４２とは、作業者の手による巻取リール４１の外周面４３を介した粘着テープ２ａのスクラッチカード面への押圧力に耐えるのに十分な強度に設定されている。
【００２８】
上記供給リール３１は、中空ロール状の粘着テープ２ａの中空部３の直径よりわずかに大きな直径を有し、中空ロール状の粘着テープ２ａが供給リール３１から容易に抜け落ちたり、中空部３に対して空回りしないように構成されている。
【００２９】
上記カバー部２１には、カバー部２１を閉じた状態で、ケース本体部１１の中ほどの両側面に重なり合うように下縁部２２から延設された第１アーム部２３と、ケース本体２の後端部１６付近の両側面に重なり合うように延設された第２アーム部２４が形成されている。
【００３０】
また、ケース本体部１１の両側面には、これら第１及び第２アーム部２３、２４の形状及び厚みに対応する第１溝面１７、第２溝面１８が形成されている。
【００３１】
第１アーム部２３にはケース本体部１１の第１溝面１７に形成された係合突起１７ａに軸支される係合孔２３ａが形成され、第２アーム部２４にはケース本体部１１の第２溝面１８に形成された軸受突起１５に係合する軸受孔２４ａが形成されている。
【００３２】
カバー部２１は、上記係合突起１７ａと係合孔２３ａとの係合によりケース本体部１１に対して閉成された状態を保持する。
【００３３】
これにより、カバー部２１がケース本体部１１を閉成した状態で保持でき、また、第１及び第２アーム部２３，２４を含むカバー部２１の外面とケース本体部１１の外面とに段差が生じないように面一になり、掌で握り易くなると共に、外観の見栄えも向上する。
【００３４】
また、ケース本体部１１及びカバー部２１は、装置外部から粘着テープ２ａ，２ｂ、供給リール３１や巻取リール４１が透視できるように透明なプラスチック材料などで構成され、粘着テープの交換時期などが容易に判別できるようになっている。
【００３５】
また、ケース本体部１１とカバー部２１は、当該カバー部２１が閉じられた状態で片手で取り扱い可能なサイズに設定されている。
【００３６】
更に、図４に示されるように、ハウジング１０は、供給リール側の粘着テープ２ａのロール形状に沿って第２アーム部２４から連続して形成される円弧形状の凸部２１ｂと、ケース本体部１１の底面部１１ａから連続して形成される円弧形状の凹部１１ｃとにより全体として略くの字形状をなして形成されている。
【００３７】
図５は、本実施形態の携帯型剥離装置を用いたスクラッチ部の剥離方法を説明する図である。
【００３８】
図５に示すように、例えば、作業者の掌をケース本体部１１の底面部（把持部）１１ａに当て、親指、薬指及び小指でケース本体部１１の側面部（把持部）１１ｂを把持すると同時に、人差し指及び／又は中指をカバー部２１の上面部（把持部）２１ａに当てて、掌全体で巻取リール４１の外周面４３を介して粘着テープ２ａの粘着面２ｃを基材としてのスクラッチカード４上のスクラッチ部（遮蔽部）５に直接押圧しつつＳ１方向に転がり回転させて矢印方向に進行させることにより、供給リール３１から未使用の粘着テープ２ａを引き出しつつ、スクラッチ部５のみを粘着面２ｃに貼り付けてスクラッチカード４面から剥離した後、使用済みの粘着テープ２ｂを巻取リール４１で巻き取る。
【００３９】
上述したように、本実施形態によれば、スクラッチ部の剥離に要する力が軽減され、ごみも発生せず、片手で操作できるほど小型、軽量にできるので、作業者の手に負担がかかり手首などを痛めたり、削り取られたごみが衣服などに付着するという不都合を解決できる。
【００４０】
また、一度に大量のスクラッチカードを処理せず、カード購入者によりランダムに１枚ごとに処理する場合に適したものとなる。
【００４１】
【発明の効果】
以上説明したように、本発明によれば、スクラッチ部の剥離に要する力が軽減され、ごみも発生せず、片手で操作できるほど小型且つ軽量化できるという効果がある。
【図面の簡単な説明】
【図１】本発明に係る実施形態の携帯型剥離装置の側面図であって、ケース本体部がカバー部により閉成された状態を示す図である。
【図２】本発明に係る実施形態の携帯型剥離装置の側面図であって、ケース本体部がカバー部により開成された状態を示す図である。
【図３】図２の状態での上面図であって、カバー部を省略してケース本体部、供給リール及び巻取リールのみを示す図である。
【図４】図２から供給リールと巻取リールとを取り外した状態を示す図である。
【図５】本実施形態の携帯型剥離装置を用いたスクラッチ部の剥離方法を説明する図である。
【符号の説明】
１　携帯型剥離装置
４　スクラッチカード
５　スクラッチ部（遮蔽部）
１０　ハウジング
１１　ケース本体部
１１ａ　底面部（把持部）
１１ｂ　側面部（把持部）
１１ｃ　凹部
１２　上縁部
１３　供給リール軸受溝
１４　巻取リール軸受溝
１５　軸受突起
１６　後端部
１７　第１溝面
１７ａ　係合突起
１８　第２溝面
２１　カバー部
２１ａ　上面部（把持部）
２１ｂ　凸部
２２　下縁部
２３　第１アーム部
２３ａ　係合孔
２４　第２アーム部
２４ａ　軸受孔
３１　供給リール
３２　供給リール軸
３３　外周面
４１　巻取リール
４２　巻取リール軸
４３　外周面
４４　開口部
【図１】
2004051296.tif 000003
【図２】
2004051296.tif 000004
【図３】
2004051296.tif 000005
【図４】
2004051296.tif 000006
【図５】
2004051296.tif 000007